(57)【要約】【課題】会議参加者が会議から離脱して、持参した情報処理端末とプロジェクタとの通信が切断されても、その参加者が出力要求を行った画像データが継続して利用できなくなることを抑制する。【解決手段】画像出力装置は、複数の情報処理端末と通信可能な画像出力装置であり、画像データを記憶したある情報処理端末から、画像データの出力を要求する第１出力要求を受け付けて（ステップＳ１）、画像データの出力を受け付けた画像データを、第１出力要求を受け付けた情報処理端末とは異なる他の情報処理装置へ転送して当該他の情報処理端末に記憶させる（ステップＳ９）。【選択図】図８
2012198640.tif 000002
【特許請求の範囲】
【請求項１】
複数の情報処理端末と通信可能な画像出力装置であって、
画像データを記憶したある前記情報処理端末から、前記画像データの出力を要求する第１出力要求を受け付ける第１受付手段と、
前記第１受付手段によって前記第１出力要求が受け付けられるとともに前記ある情報処理装置から送信された前記画像データを出力する第１出力手段と、
前記第１受付手段によって前記第１出力要求が受け付けられた前記画像データを、前記情報処理端末とは異なる他の前記情報処理装置へ転送して当該他の情報処理端末に記憶させる転送手段と、
を備える画像出力装置。
【請求項２】
前記転送手段は、前記情報処理端末からの画像データの引き取りを要求する引取要求を受け付け、複数の前記情報処理端末のうち前記引取要求を受け付けた前記情報処理端末以外の前記情報処理端末に、前記引取要求対象の前記画像データを記憶させる請求項１に記載の画像出力装置。
【請求項３】
前記転送手段は、前記引取要求を受け付けた場合、前記引取要求を受け付けた前記情報処理端末に、当該転送手段が記憶させた全ての画像データを、転送する請求項２に記載の画像出力装置。
【請求項４】
前記転送手段は、前記全ての画像データを一つの画像データにまとめて、前記引取要求を受け付けた前記情報処理端末に転送する請求項３に記載の画像出力装置。
【請求項５】
前記第１受付手段は、前記情報処理端末から、前記第１出力要求とともに、転送先となる情報処理端末の指定を受け付け、
前記転送手段は、前記第１受付手段によって受け付けられた転送先の前記情報処理端末に前記画像データを転送する請求項１ないし４のいずれか一項に記載の画像出力装置。
【請求項６】
前記転送手段は、転送する前記画像データに、前記第１受付手段によって前記第１出力要求が受け付けられた前記情報処理装置の識別子を付加する請求項１ないし５のいずれか一項に記載の画像出力装置。
【請求項７】
前記転送手段は、転送先候補の前記情報処理端末が複数存在する場合、前記転送先候補の複数の情報処理端末の記憶領域の空き領域を取得し、前記転送先候補の複数の情報処理端末のうちで最も前記空き領域が大きい情報処理端末を前記画像データの転送先として決定する請求項１ないし６のいずれか一項に記載の画像出力装置。
【請求項８】
前記転送手段は、転送先候補の前記情報処理端末が複数存在する場合、前記転送先候補の複数の情報処理端末の処理負荷を取得し、前記転送先候補の複数の情報処理端末のうちで最も処理負荷の小さい情報処理端末を前記画像データの転送先として決定する請求項１ないし６のいずれか一項に記載の画像出力装置。
【請求項９】
前記転送手段は、前記画像データの転送先に、転送可能と設定された前記情報処理端末を選択する請求項１ないし６のいずれか一項に記載の画像出力装置。
【請求項１０】
前記転送手段によって前記他の情報処理端末に記憶された前記画像データの出力を要求する第２出力要求を、受け付ける第２受付手段と、
前記第２受付手段によって前記第２出力要求が受け付けられた前記画像データを、前記他の情報処理端末から取得して出力する第２出力手段と、
を備える請求項１ないし９のいずれか一項に記載の画像出力装置。
【請求項１１】
請求項１ないし１０のいずれか一項に記載の画像出力装置と、
前記情報処理端末と、
を備える画像出力システム。
【請求項１２】
前記画像出力装置は、請求項１０に記載の画像出力装置であり、
前記情報処理端末は、当該情報処理端末が行った前記第１出力要求または前記第２出力要求を受け付けた前記画像出力装置からのみ前記画像データの転送を受け付ける請求項１１に記載の画像出力システム。
【請求項１３】
複数の情報処理端末と通信可能な画像出力装置で行われる制御方法であって、
第１受付手段が、画像データを記憶したある前記情報処理端末から、前記画像データの出力を要求する第１出力要求を受け付けるステップと、
第１出力手段が、前記第１受付手段によって前記第１出力要求が受け付けられるとともに前記ある情報処理装置から送信された前記画像データを出力するステップと、
転送手段が、前記第１受付手段によって前記第１出力要求が受け付けられた前記画像データを、前記情報処理端末とは異なる他の前記情報処理装置へ転送して当該他の情報処理端末に記憶させるステップと、
を含む制御方法。
【請求項１４】
複数の情報処理端末と通信可能な画像出力装置のコンピュータを、
画像データを記憶したある前記情報処理端末から、前記画像データの出力を要求する第１出力要求を受け付ける第１受付手段と、
前記第１受付手段によって前記第１出力要求が受け付けられるとともに前記ある情報処理装置から送信された前記画像データを出力する第１出力手段と、
前記第１受付手段によって前記第１出力要求が受け付けられた前記画像データを、前記情報処理端末とは異なる他の前記情報処理装置へ転送して当該他の情報処理端末に記憶させる転送手段と、
として機能させるプログラム。
【発明の詳細な説明】
【技術分野】
【０００１】
本発明は、画像出力装置、画像出力システム、制御方法およびプログラムに関する。
【背景技術】
【０００２】
従来、プロジェクタの機能として、ネットワーク接続されたＰＣ上にある画像ファイルを受け取り、それを表示するＰＣ画像投影機能が知られている。この機能を用いると、ＲＧＢケーブルなどで直接繋がなくても画像が投影できるため、投影者が変わってもケーブルをつなげなおす必要が無く、便利である。例えばプロジェクタを用いた会議で、持参した自分のＰＣに保存されている画像を投影したい者が複数人いるような場面において、有効である。
【０００３】
複数の画像を保持するだけの補助記憶装置やメモリを持たないプロジェクタでは、あるＰＣ（Ａ）から画像の投影要求を受け、それを受信して投影している最中に他のＰＣ（Ｂ）から画像の投影要求があった際には、現在の投影をやめるだけでなく、ＰＣ（Ａ）から受信済みの画像自体も破棄する必要がある。そのような場合には、破棄されたＰＣ（Ａ）の画像を再び表示するためには、ＰＣ（Ａ）が改めて画像の投影要求をおこなう必要がある。ＰＣ（Ｂ）など、他の端末からの要求によって再表示することはできない。例えば、ある会議の参加者（Ａ）が画像（Ａ）の投影要求をおこなった後、別の画像（Ｂ）の投影要求によって画像（Ａ）がプロジェクタから破棄された場合に、他の参加者が再び画像（Ａ）を表示したい場合は、参加者（Ａ）に投影要求を依頼する必要がある。
【０００４】
プロジェクタに補助記憶装置や大容量のメモリを搭載して、そこに画像を記憶して公開し、参加者から選択された画像を投影するという解決方法もあるが、コストが高くなり競争力が弱まるため、望ましくない。
【０００５】
そこで、次のような技術が既に提案されている。プロジェクタがあるＰＣ(Ａ)からの画像投影要求を受けると、投影要求のあった画像を受信してメモリ上に配置して投影するだけでなく、投影要求元のＰＣ(Ａ)を画像の在り処として記憶しておく。また、ネットワーク接続されているＰＣ群に対して、画像の識別子を公開する。ここで、他のＰＣ（Ｂ）から他の画像の投影要求があった際には、ＰＣ（Ａ）由来の投影中の画像を破棄し、ＰＣ（Ｂ）からの投影要求に応じる。このときも、投影要求元のＰＣ(Ｂ）を画像の在り処として記憶しておき、画像の識別子を公開しておく。
【０００６】
プロジェクタは、ＰＣ（Ａ）由来の画像の識別子を用いて画像の再表示を要求されると、記憶している画像の在り処であるＰＣ（Ａ）から画像を取得して、再び投影する。この要求は、ＰＣ（Ａ）以外からもおこなうことができる。
【発明の概要】
【発明が解決しようとする課題】
【０００７】
しかしながら、従来のプロジェクタにおいて上述のような画像転送をおこなう場合には、投影中のものでない限り、画像は投影要求元にしか存在しない。したがって、ある会議参加者が会議から離脱して、持参したＰＣへのネットワークが切断されたら、その参加者が投影要求をおこなった画像データは、その後の会議では投影できなくなってしまうという問題があった。
【０００８】
このような場合には、会議を振り返ろうと画像を再度出力しようとしても、会議を離脱した者の画像は出力できないため、会議が中断してしまう。また議事録を作成しようとする際に、会議を離脱した者が投影要求をおこなった画像を議事録に添付できなくなってしまう。
【０００９】
このように、従来のプロジェクタでは、会議を離脱した者の画像を再度利用することができない。
【００１０】
ここで、特許文献１には、プリントサーバがホストからの大量の印刷ジョブ要求を受け付けるために、大容量の補助記憶装置を持たなくてもよくなることを目的として、印刷ジョブがまさに実行されるときになって初めて、プリントサーバが、ホストから印刷ジョブ（印刷対象のデータなど）受け取ることを特徴としている。しかしながら、特許文献１は、据え置きのプリンタを想定しているため、移動によってネットワークが切断される（通信可能範囲から離れる）場合が考慮されていない。
【００１１】
本発明は、上記に鑑みてなされたものであって、会議参加者が会議から離脱して、持参した情報処理端末とプロジェクタとの通信が切断されても、その参加者が出力要求を行った画像データが継続して利用できなくなることを抑制することを目的とする。
【課題を解決するための手段】
【００１２】
上述した課題を解決し、目的を達成するために、本発明の画像出力装置は、複数の情報処理端末と通信可能な画像出力装置であって、画像データを記憶したある前記情報処理端末から、前記画像データの出力を要求する第１出力要求を受け付ける第１受付手段と、前記第１受付手段によって前記第１出力要求が受け付けられるとともに前記ある情報処理装置から送信された前記画像データを出力する第１出力手段と、前記第１受付手段によって前記第１出力要求が受け付けられた前記画像データを、前記情報処理端末とは異なる他の前記情報処理装置へ転送して当該他の情報処理端末に記憶させる転送手段と、を備える。
【００１３】
また、本発明の画像出力システムは、前記画像出力画像出力装置と、前記情報処理端末と、を備える。
【００１４】
また、本発明の制御方法は、複数の情報処理端末と通信可能な画像出力装置で行われる制御方法あって、第１受付手段が、画像データを記憶したある前記情報処理端末から、前記画像データの出力を要求する第１出力要求を受け付けるステップと、第１出力手段が、前記第１受付手段によって前記第１出力要求が受け付けられるとともに前記ある情報処理装置から送信された前記画像データを出力するステップと、転送手段が、前記第１受付手段によって前記第１出力要求が受け付けられた前記画像データを、前記情報処理端末とは異なる他の前記情報処理装置へ転送して当該他の情報処理端末に記憶させるステップと、
を含む。
【００１５】
また、本発明のプログラムは、複数の情報処理端末と通信可能な画像出力装置のコンピュータを、画像データを記憶したある前記情報処理端末から、前記画像データの出力を要求する第１出力要求を受け付ける第１受付手段と、前記第１受付手段によって前記第１出力要求が受け付けられるとともに前記ある情報処理装置から送信された前記画像データを出力する第１出力手段と、前記第１受付手段によって前記第１出力要求が受け付けられた前記画像データを、前記情報処理端末とは異なる他の前記情報処理装置へ転送して当該他の情報処理端末に記憶させる転送手段と、として機能させる。
【発明の効果】
【００１６】
本発明によれば、転送手段が、第１受付手段によって第１出力要求が受け付けられた画像データを、その画像データの出力要求を行った情報処理端末とは異なる他の情報処理装置へ転送して当該他の情報処理端末に記憶させるので、ある会議参加者が会議から離脱して、持参したある情報処理端末とプロジェクタとの通信が切断されても、その参加者が出力要求を行った画像データが継続して利用できなくなることを抑制することができる。
【図面の簡単な説明】
【００１７】
【図１】図１は、第１実施形態のプロジェクタシステムの概略構成例を示すブロック図である。
【図２】図２は、第１実施形態のプロジェクタの構成例を示すブロック図である。
【図３】図３は、第１実施形態のプロジェクタの機能構成例を示すブロック図である。
【図４】図４は、第１実施形態の利用可能記憶場所一覧の一例を示す図である。
【図５】図５は、第１実施形態の画像データ記憶場所の一例を示す図である。
【図６】図６は、第１実施形態のＰＣの構成例を示すブロック図である。
【図７】図７は、第１実施形態のＰＣの機能構成例を示すブロック図である。
【図８】図８は、第１実施形態のプロジェクタで行われる投影処理例を示すフローチャートである。
【図９】図９は、第１実施形態の画像データの転送例を示す図である。
【図１０】図１０は、第１実施形態のプロジェクタシステムで行われる転送処理例を示すシーケンス図である。
【図１１】図１１は、第１実施形態の利用可能記憶場所一覧の一例を示す図である。
【図１２】図１２は、第１実施形態の画像データ記憶場所の一例を示す図である。
【図１３】図１３は、第１実施形態の画像データ記憶場所の一例を示す図である。
【図１４】図１４は、第２実施形態のプロジェクタで実行される画像データ受取処理例を示すフローチャートである。
【図１５】図１５は、第２実施形態のプロジェクタシステムで行われる画像データ受取処理例を示すシーケンス図である。
【図１６】図１６は、第２実施形態の画像データ記憶場所の一例を示す図である。
【図１７】図１７は、第２実施形態の画像データ記憶場所の別例を示す図である。
【図１８】図１８は、第３実施形態のプロジェクタで実行される画像データ受取処理例を示すフローチャートである。
【図１９】図１９は、第３実施形態のプロジェクタシステムで行われる画像データ受取処理例を示すシーケンス図である。
【図２０】図２０は、第４実施形態の画像データ記憶場所の一例を示す図である。
【図２１】図２１は、第４実施形態の画像データ記憶場所の一例を示す図である。
【図２２】図２２は、第５実施形態の記憶部空き容量一覧の一例を示す図である。
【図２３】図２３は、第６実施形態の処理負荷一覧の一例を示す図である。
【図２４】図２４は、第７実施形態の転送許可先一覧の一例を示す図である。
【図２５】図２５は、第７実施形態の比較例の利用可能記憶場所一覧を示す図である。
【図２６】図２６は、第７実施形態の利用可能記憶場所一覧の一例を示す図である。
【図２７】図２７は、第７実施形態の利用可能記憶場所一覧への追加処理の一例を示す図である。
【図２８】図２８は、第８実施形態の出力要求先一覧の一例を示す図である。
【図２９】図２９は、第８実施形態の画像データ記憶処理の一例を示す図である。
【発明を実施するための形態】
【００１８】
以下、添付図面を参照しながら、本発明にかかる画像出力装置、画像出力システム、制御方法およびプログラムの実施形態を詳細に説明する。なお、以下の複数の実施形態には、同様の構成要素が含まれている。よって、以下では、それら同様の構成要素には共通の符号を付与するとともに、重複する説明を省略する。
【００１９】
（第１実施形態）
まずは、第１実施形態を説明する。
図１に示すように、画像出力システムであるプロジェクタシステム１は、画像出力装置であって画像を投影（出力）するプロジェクタ（図面ではＰＪ）１０と、プロジェクタ１０に画像データを転送する情報処理端末としてのＰＣ（パーソナルコンピュータ）２０とを備えている。そして、プロジェクタ１０とＰＣ２０とは、ネットワーク３０を介して接続されて、画像データを含む各種データの送受信が可能となる。この接続にはＴＣＰ／ＩＰプロトコルが用いられ、画像データ転送にはＦＴＰプロトコルが用いられる。なお、接続と転送の方法はこれに限らない。また、ネットワーク３０は、有線若しくは無線、またＬＡＮ(Local  Area  Network)や公衆通信回線を問わず、どのようなネットワークであってもよい。
【００２０】
このプロジェクタシステム１は、例えば会議において使用され、ＰＣ２０は、会議参加者が会議に持参するものである。そして、ＰＣ２０からプロジェクタ１０へ送信された画像データを用いてプロジェクタ１０が画像を投影するようになっている。プロジェクタシステム１は、概略的には、あるＰＣ２０の画像データによる画像を投影した場合、その画像データを他のＰＣＰ２０に記憶させることで、そのあるＰＣ２０を所有する会議参加者が会議の途中で会議から離脱した場合であっても、その後も、その画像データによる画像を再度投影できるようにしている。なお、複数のＰＣ２０を区別して説明する場合は、それらのＰＣ２０を、第１ＰＣ２０Ａ、第２ＰＣ２０Ｂ、第３ＰＣ２０Ｃ・・・、とする。
【００２１】
図２に示すように、プロジェクタ１０は、通信部１１０と、記憶部１２０と、制御部１３０と、投影部１４０とを備えている。
【００２２】
通信部１１０は、ネットワーク３０を介して、ＰＣ２０などの外部機器との間で画像データなどの各種データの送受信を行うものであり、例えば、通信インターフェースなどの既存の通信装置により実現できる。
【００２３】
記憶部１２０は、プロジェクタ１０で実行される各種プログラム、プロジェクタ１０で行われる各種処理に使用される情報、及び各種ファイルなどを記憶する。記憶部１２０は、利用可能記憶場所一覧１２１を記憶している。記憶部１２０は、画像データ記憶場所１２２を含む。記憶部１２０は、例えば、ＨＤＤ（Hard  Disk  Drive）、ＳＳＤ（Solid  State  Drive）、メモリカード、光ディスク、ＲＯＭ（Read  Only  Memory）、ＲＡＭ（Random  Access  Memory）などの磁気的、光学的、又は電気的に記憶可能な既存の記憶装置により実現できる。
【００２４】
投影部１４０は、ＰＣ２０から送信されたり受け付けられた画像データを用いて画像を投影する。投影部１４０は、例えば、ビデオカードなどにより実現できる。
【００２５】
制御部１３０は、プロジェクタ１０の各部を制御するものであり、ＣＰＵ（Central  Processing  Unit）などの既存の制御装置により実現できる。制御部１３０はコンピュータを構成している。
【００２６】
制御部１３０は、図３に示すように、プログラムに従うことにより、第１部１３１ａおよび第２部１３１ｂを含む画像出力要求受付部１３１と、画像データ記憶場所記憶部１３２と、画像データ転送部１３３と、画像データ要求部１３４と、として機能する。
【００２７】
画像出力要求受付部１３１は、ＰＣ２０からの画像の出力要求（投影要求）を受け付ける。また、画像出力要求受付部１３１は、画像の出力要求をしたＰＣ２０（以下、要求元端末ともいう）の識別情報である端末識別情報を、利用可能記憶場所一覧１２１に記憶させる。
【００２８】
第１部１３１ａは、第１受付手段として機能し、画像データを記憶したあるＰＣ２０から、その画像データの出力を要求する第１出力要求を受け付ける。第１出力要求は、出力要求の一例である。また、第１部１３１ａは、第１出力手段として機能して、当該第１部１３１ａによって第１出力要求が受け付けられるとともに、上述のあるＰＣ２０から送信された画像データを出力。具体的には、第１部１３１ａは、その画像データを用いた画像を投影部１４０に投影させる。なお、第２部１３１ｂについては、後述する。
【００２９】
画像データ記憶場所記憶部１３２は、画像出力要求受付部１３１によって出力要求が受け付けられた画像データの記憶場所を画像データ記憶場所１２２に記憶させる。
【００３０】
画像データ転送部１３３は、転送手段として機能し、第１部１３１ａによって第１出力要求が受け付けられた画像データを、第１部１３１ａが第１出力要求を受け付けたＰＣ２０とは異なる他のＰＣ２０へ転送して当該他のＰＣ２０に記憶させる。詳しくは、この画像データ転送部１３３は、利用可能記憶場所一覧１２１から画像データの転送先のＰＣ２０を選択して、選択した転送先のＰＣ２０に画像データの記憶を要求する。
【００３１】
ここで、上述した第２部１３１ｂは、第２受付手段として機能し、画像データ転送部１３３によって上述の他のＰＣ２０に記憶された画像データの出力を要求する第２出力要求を、ＰＣ２０から受け付ける。第２出力要求は、出力要求の一例である。また、第２部１３１ｂは、当該第２部１３１ｂによって第２出力要求が受け付けられた画像データを、上述の他のＰＣ２０から画像データ要求部１３４を介して取得して出力する。具体的には、第２部１３１ｂは、取得した画像データを用いた画像を投影部１４０に投影させる。
【００３２】
画像データ要求部１３４は、画像データ記憶場所１２２に端末識別情報が記憶されたＰＣ２０に対して、画像データの転送（取得）を要求する。
【００３３】
記憶部１２０は、利用可能記憶場所一覧１２１と、画像データ記憶場所１２２と、を記憶している。
【００３４】
記憶部１２０の利用可能記憶場所一覧１２１は、図４に示すように、ＰＣ２０からプロジェクタ１０が受信した画像データを記憶させることが可能なＰＣ２０を記憶する記憶エリアである。具体的には、利用可能記憶場所一覧１２１は、ＰＣ２０の端末識別情報を記憶する。
【００３５】
画像データ記憶場所１２２は、図５に示すように、画像データ転送部１３３によって転送した画像データの画像データ識別子（画像データ識別情報）と、その画像データの記憶場所（転送先ＰＣ２０）と、を対応付けして記憶する記憶エリアである。この画像データ記憶場所１２２は、本実施形態では、ＰＣ２０に公開されており、ＰＣ２０は、画像データ記憶場所１２２を閲覧可能となっている。
【００３６】
図６に示すように、ＰＣ２０は、通信部２１０と、記憶部２２０と、入力部２３０と、表示部２４０と、制御部２５０とを備えている。
【００３７】
通信部２１０は、ネットワーク３０を介して、プロジェクタ１０などの外部機器との間で情報の送受信を行うものであり、通信インターフェースなどの既存の通信装置により実現できる。通信部２１０は、例えば、プロジェクタ１０に対して画像転送ソフトウェアの実行ファイルの配信要求を送信したり、画像転送ソフトウェアの実行ファイルをＰＣ２０から受信したりする。
【００３８】
記憶部２２０は、ＰＣ２０で実行される各種プログラム、及びＰＣ２０で行われる各種処理に使用される情報などを記憶するものである。記憶部２２０は、例えば、ＨＤＤ（Hard  Disk  Drive）、ＳＳＤ（Solid  State  Drive）、メモリカード、光ディスク、ＲＯＭ（Read  Only  Memory）、ＲＡＭ（Random  Access  Memory）などの磁気的、光学的、又は電気的に記憶可能な既存の記憶装置により実現できる。
【００３９】
入力部２３０は、各種操作の入力を行うものであり、キーボード、マウス、タッチパッド又はタッチパネルなどの既存の入力装置により実現できる。
【００４０】
表示部２４０は、各種画像を表示するものであり、液晶ディスプレイやタッチパネル式ディスプレイなどの既存の表示装置により実現できる。
【００４１】
制御部２５０は、ＰＣ２０の各部を制御するものであり、ＣＰＵ（Central  Processing  Unit）などの既存の制御装置により実現できる。制御部２５０は、コンピュータを構成する。
【００４２】
制御部２５０は、プログラムに従うことにより、画像出力要求部２５１と、画像データ記憶部２５２と、画像データ要求受付部２５３と、として機能する。
【００４３】
画像出力要求部２５１は、画像データ要求手段として機能し、上述の出力要求（第１出力要求や第２出力要求）をプロジェクタ１０に対して行う。
【００４４】
画像データ記憶部２５２は、画像データ記憶手段として機能し、プロジェクタ１０から送信（転送）された画像データを受信し、その受信した画像データを記憶部２２０に記憶させる。
【００４５】
画像データ要求受付部２５３は、プロジェクタ１０が要求してきた画像データを、記憶部２２０から読み出してプロジェクタ１０に送信（転送）する。
【００４６】
次に、本実施形態のプロジェクタシステム１の動作について説明する。
【００４７】
まずは、プロジェクタ１０の制御部１３０がプログラムに従って実行する投影処理を図８のフローチャートに沿って説明する。
【００４８】
画像出力要求受付部１３１は、ＰＣ２０の画像出力要求部２５１から、画像の出力を要求する出力要求を受信すると（ステップＳ１）、その画像出力要求部２５１が属するＰＣ２０（画像出力要求元）を、利用可能記憶場所一覧１２１に追加する（ステップＳ２）。このとき、画像出力要求受付部１３１は、画像出力要求元のＰＣ２０が利用可能記憶場所一覧１２１に追加済みでない場合のみ、そのＰＣ２０を利用可能記憶場所一覧１２１に追加する。
【００４９】
次に、出力要求を受け付けた画像の画像データが、画像データ記憶場所１２２に記憶済みで無い場合（ステップＳ３のＮｏ）、画像データ要求部１３４が、ステップＳ１で出力要求を受け付けた画像出力要求元のＰＣ２０に対して、その画像データを要求し（ステップＳ４）、この要求に応答したＰＣ２０から送信された画像データを、画像データ要求部１３４が受信する（ステップＳ５）。
【００５０】
そして、利用可能記憶場所一覧１２１に、今回の画像出力要求元のＰＣ２０以外のＰＣ２０が記憶されている場合（ステップＳ６のＹｅｓ）、画像データ転送部１３３が、画像データの記憶先（転送先）として、利用可能記憶場所一覧１２１から、今回の画像出力要求元のＰＣ２０以外の他のＰＣ２０を一つ選択する（ステップＳ７）。この選択は、利用可能記憶場所一覧１２１から、今回の画像出力要求元のＰＣ２０以外のＰＣ２０の一つをランダムに選択するものであってもよいし、利用可能記憶場所一覧１２１に最初に追加されたＰＣ２０のうちの一つを選択するものであってもよい。そして、画像データ転送部１３３は、選択したＰＣ２０の画像データ記憶部２５２に対して、画像データの記憶を要求し（ステップＳ８）、その画像データを、選択したＰＣ２０の画像データ記憶部２５２に送信してそのＰＣ２０の記憶部２２０に記憶させる（ステップＳ９）。次に、画像出力要求受付部１３１が、画像データ記憶場所記憶部１３２を用いて、その画像データの識別子と画像の転送先（記憶先）のＰＣ２０の端末識別情報とを紐付け（関連付け）て、画像データ記憶場所１２２に記憶させる（ステップＳ１０）。
【００５１】
次に、画像出力要求受付部１３１が、画像を出力（投影）する（ステップＳ１１）。更に、画像の出力要求が発生した場合（ステップＳ１２のＹｅｓ）には、ステップＳ１に戻り、ステップＳ１以降の処理を再度行う。一方、画像の出力要求が発生しない場合（ステップＳ１２のＹｅｓ）には、処理を終了する。
【００５２】
また、ステップＳ３において、出力要求を受け付けた画像の画像データが、画像データ記憶場所１２２に記憶済みである場合（ステップＳ３のＹｅｓ）、画像データ要求部１３４が、画像データ記憶場所１２２を参照して、その画像データを記憶しているＰＣ２０にその画像データを要求する（ステップＳ１４）。この要求に応答したＰＣ２０から送信された画像データを、画像データ要求部１３４が受信する（ステップＳ１５）。そして、受信した画像データを用いた画像を、画像出力要求受付部１３１が出力（投影）する。
【００５３】
また、ステップＳ６において、利用可能記憶場所一覧１２１に、今回の画像出力要求元のＰＣ２０以外のＰＣ２０が記憶されていない場合（ステップＳ６のＮｏ）、画像出力要求受付部１３１が、画像データ記憶場所記憶部１３２を用いて、その画像データの識別子と画像の出力要求元のＰＣ２０の端末識別情報とを紐付け（関連付け）て、画像データ記憶場所１２２に記憶させる（ステップＳ１３）。
【００５４】
次に、本実施形態のプロジェクタシステム１の動作の一例を図９ないし図１３を参照して説明する。
【００５５】
この例では、図９の（ａ）に示すように、まず、第２ＰＣ２０Ｂが出力要求した画像データ「ＸＸＸ．ｊｐｇ」の画像をプロジェクタ１０が投影する。次に、第１ＰＣ２０Ａが出力要求した画像データ「ＹＹＹ．ｊｐｇ」の画像をプロジェクタ１０が投影する。この際、プロジェクタ１０は、画像データ「ＹＹＹ．ｊｐｇ」を第２ＰＣ２０Ｂに転送して記憶させる。そして、図９（ｂ）に示すように、第１ＰＣ２０Ａの所有者が、会議から離脱した後に、第３ＰＣ２０Ｃから、画像データ「ＹＹＹ．ｊｐｇ」の画像の出力要求がある。プロジェクタ１０が、画像データ「ＹＹＹ．ｊｐｇ」を第２ＰＣ２０Ｂから読み出して投影する。以下に、この例の詳細を説明する。
【００５６】
図１０に示すように、第２ＰＣ２０Ｂが、画像データ「ＸＸＸ．ｊｐｇ」の画像の出力要求を、プロジェクタ１０に対して行う（ステップＳ１０１）。
【００５７】
画像の出力要求を受け付けたプロジェクタ１０は、出力要求を受け受けた第２ＰＣ２０Ｂの端末識別情報を図１１に示すように利用可能記憶場所一覧１２１に追加し（ステップＳ１０２）、その画像データの転送を第２ＰＣ２０Ｂに要求する（ステップＳ１０３）。
【００５８】
画像データの要求を受け付けた第２ＰＣ２０Ｂは、画像データ「ＸＸＸ．ｊｐｇ」をプロジェクタ１０に転送する（ステップＳ１０４）。
【００５９】
画像データ「ＸＸＸ．ｊｐｇ」を受信したプロジェクタ１０は、その画像データ「ＸＸＸ．ｊｐｇ」を記憶部１２０に一時的に記憶するとともに、図１２に示すように、画像データ記憶場所１２２に、画像データ識別子「ＸＸＸ．ｊｐｇ」と第２ＰＣ２０Ｂの端末識別情報とを対応付けして記憶させる。そして、プロジェクタ１０は、画像データ「ＸＸＸ．ｊｐｇ」の画像を投影する（ステップＳ１０６）。
【００６０】
次に、第１ＰＣ２０Ａが、画像データ「ＹＹＹ．ｊｐｇ」の画像の出力要求を、プロジェクタ１０に対して行う（ステップＳ１０７）。
【００６１】
画像の出力要求を受け付けたプロジェクタ１０は、出力要求を受け受けた第１ＰＣ２０Ａの端末識別情報を利用可能記憶場所一覧１２１に追加し（ステップＳ１０８）、その画像データの転送を第１ＰＣ２０Ａに要求する（ステップＳ１０９）。
【００６２】
画像データの要求を受け付けた第１ＰＣ２０Ａは、画像データ「ＹＹＹ．ｊｐｇ」をプロジェクタ１０に転送する（ステップＳ１１０）。
【００６３】
画像データ「ＹＹＹ．ｊｐｇ」を受信したプロジェクタ１０は、その画像データ「ＸＸＸ．ｊｐｇ」を記憶部１２０に一時的に記憶するとともに、その画像データ「ＸＸＸ．ｊｐｇ」の転送先を利用可能記憶場所一覧１２１を参照して決定する（ステップＳ１１１）。この場合、利用可能記憶場所一覧１２１には、第２ＰＣ２０Ｂしか記憶されていないので、プロジェクタ１０は、転送先を第２ＰＣ２０Ｂにする。そして、プロジェクタ１０は、画像データ「ＹＹＹ．ｊｐｇ」を、第２ＰＣ２０Ｂに転送して記憶させる（ステップＳ１１２）。次に、プロジェクタ１０は、図１３に示すように、画像データ記憶場所１２２に、画像データ識別子「ＹＹＹ．ｊｐｇ」と第２ＰＣ２０Ｂの端末識別情報とを対応付けして記憶させる（ステップＳ１１３）。そして、プロジェクタ１０は、画像データ「ＹＹＹ．ｊｐｇ」の画像を投影する（ステップＳ１１４）。ここで、第１ＰＣ２０Ａの所有者が第１ＰＣ２０Ａを持ったまま、会議を離脱する。
【００６４】
次に、第３ＰＣ２０Ｃが、画像データ「ＹＹＹ．ｊｐｇ」の画像の出力要求を、プロジェクタ１０に対して行う（ステップＳ１１５）。
【００６５】
画像の出力要求を受け付けたプロジェクタ１０は、出力要求を受け受けた第３ＰＣ２０Ｃの端末識別情報を利用可能記憶場所一覧１２１に追加する（ステップＳ１１６）。そして、プロジェクタ１０は、画像データ記憶場所１２２を参照して、画像データ「ＹＹＹ．ｊｐｇ」が第２ＰＣ２０Ｂに記憶されていることを確認すると、画像データ「ＹＹＹ．ｊｐｇ」の転送を第２ＰＣ２０Ｂに要求する（ステップＳ１１７）。
【００６６】
画像データの要求を受け付けた第２ＰＣ２０Ｂは、画像データ「ＹＹＹ．ｊｐｇ」をプロジェクタ１０に転送する（ステップＳ１１８）。
【００６７】
画像データ「ＹＹＹ．ｊｐｇ」を受信したプロジェクタ１０は、その画像データ「ＹＹＹ．ｊｐｇ」を記憶部１２０に一時的に記憶するとともに、その画像データ「ＹＹＹ．ｊｐｇ」の画像を投影する（ステップＳ１１９）。このように、第１ＰＣ２０Ａの代わりに、第２ＰＣ２０Ｂから、画像データ「ＹＹＹ．ｊｐｇ」を取得することが可能である。
【００６８】
このように、本実施形態では、ＰＣが出力要求（投影要求）してきていた画像データを、他の元ＰＣに一時的に配置する。そして、その画像の投影が要求されたら、一時配置先のＰＣ端末から投影対象の画像を取得する。
【００６９】
以上説明したとおり、本実施形態では、画像データ転送部１３３が、第１部１３１ａによって第１出力要求が受け付けられた画像データを、その画像データの出力要求を行ったＰＣ２０とは異なる他のＰＣ２０へ転送して当該他のＰＣ２０に記憶させる。したがって、ある会議参加者が会議から離脱して、持参したあるＰＣ２０とプロジェクタ１０との通信が切断されても、その参加者が出力要求を行った画像データが継続して利用できなくなることを抑制することができる。これによって、会議参加者が会議から離脱して、持参したＰＣ２０へのネットワークが切断されても、例えば会議を振り返る際に、その参加者が投影要求をおこなった画像データを継続して投影できる。また、議事録を作成しようとする際に、会議を離脱した者が投影要求をおこなった画像も議事録に添付することができる。また、転送先は会議参加者の端末なので、サーバなどのインフラを用意する必要はなく、コストを抑えられる。なお、会議は複数人でおこなわれるものであり、参加者全員がＰＣ２０を持参すれば必ず２台以上のＰＣ２０が存在するので、この場合に本実施形態が有効である。
【００７０】
なお、本実施形態のプロジェクタ１０で実行されるプログラムは、記憶部１２０のＲＡＭ等に予め組み込まれて提供される。また、ＰＣ２０で実行されるプログラムは、記憶部２２０のＲＡＭ等に予め組み込まれて提供される。
【００７１】
本実施形態のプロジェクタ１０やＰＣ２０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録して提供するように構成してもよい。
【００７２】
さらに、本実施形態のプロジェクタ１０やＰＣ２０で実行されるプログラムを、インターネット等のネットワークに接続されたコンピュータ上に格納し、ネットワーク経由でダウンロードさせることにより提供するように構成しても良い。また、本実施形態のプロジェクタ１０で実行されるプログラムをインターネット等のネットワーク経由で提供または配布するように構成しても良い。
【００７３】
本実施形態のプロジェクタ１０やＰＣ２０で実行されるプログラムは、上述した各部をコンピュータ上で実現させるためのモジュール構成となっている。実際のハードウェアとしては制御部１３０，２５０がＲＯＭからプログラムをＲＡＭ上に読み出して実行することにより、上記各部がコンピュータ上で実現されるようになっている。
【００７４】
（第２実施形態）
次に、第２実施形態を説明する。
本実施形態では、画像データ転送部１３３は、ＰＣ２０からの画像データの引き取りを要求する引取要求を受け付ける。画像データ転送部１３３は、複数のＰＣ２０のうち引取要求を受け付けたＰＣ２０以外のＰＣ２０に、引取要求対象の画像データを記憶させる。
【００７５】
画像データ転送部１３３は、引取要求を受け付けた場合、引取要求を受け付けたＰＣ２０に、当該画像データ転送部１３３が記憶させた全ての画像データを、転送可能である。また、画像データ転送部１３３は、全ての画像データを一つの画像データにまとめて、引取要求を受け付けたＰＣ２０に転送可能である。
【００７６】
次に、本実施形態のプロジェクタシステム１の動作について説明する。まずは、プロジェクタ１０の制御部１３０がプログラムに従って実行する画像データ引受処理を図１４のフローチャートに沿って説明する。
【００７７】
画像データ転送部１３３が、あるＰＣ２０から自機に記憶している画像データの引き取りを要求する引取要求を受け付けると（ステップＳ３１）、画像データ要求部１３４が、その引取要求をうけ付けたＰＣ２０（引取要求元）の画像データ要求受付部２５３に対して、そのＰＣ２０の記憶部２２０に記憶されている全ての画像データを要求する（ステップＳ３２）。この要求に応じてＰＣ２０から転送された画像データを、画像データ要求部１３４が受信する（ステップＳ３３）。
【００７８】
次に、画像データ転送部１３３は、利用可能記憶場所一覧１２１に端末識別情報が記憶されているＰＣ２０のうち、引取要求元のＰＣ２０を除くＰＣ２０のうちから一つを例えばランダムに選択する（ステップＳ３４）。画像データ転送部１３３は、選択したＰＣ２０の画像データ記憶部２５２に対して、画像データの記憶を要求し（ステップＳ３５）、その選択したＰＣ２０の画像データ記憶部２５２を用いて、その画像データをそのＰＣ２０の記憶部２２０に記憶させる（ステップＳ３６）。次に、画像出力要求受付部１３１が、画像データ記憶場所記憶部１３２を用いて、その画像データの識別子と画像の転送先（記憶先）のＰＣ２０の端末識別情報とを紐付け（関連付け）て、画像データ記憶場所１２２に記憶させる（ステップＳ３７）。
【００７９】
次に、画像データの引受要求元のＰＣ２０から、画像一覧要求が有った場合（ステップＳ３８のＹｅｓ）、画像データ要求部１３４が画像データ記憶場所１２２に識別子が記憶されている全ての画像データの転送を、対応するＰＣ２０に要求し、この要求に応じてＰＣ２０から転送された画像データを画像データ転送部１３３が受信（取得）する（ステップＳ３９）。
【００８０】
画像一覧要求に、画像データを束ねる、即ち一つの画像データにまとめる旨の要求が含まれていた場合（ステップＳ４０のＹｅｓ）、画像データ転送部１３３は、ステップＳ３９で取得した全ての画像データを、例えばＰＤＦファイルにまとめた上で、引取要求元のＰＣ２０に転送する（ステップＳ４２）。一方、画像一覧要求に、画像データを束ねる旨の要求が含まれていない場合（ステップＳ４０のＮｏ）、画像データ転送部１３３は、ステップＳ３９で取得した全ての画像データを、ひとつに束ねずに、引取要求元のＰＣ２０に転送する（ステップＳ４１）。
【００８１】
次に、本実施形態のプロジェクタシステム１の動作の一例を図１５および１６を参照して説明する。この例は、第２ＰＣ２０Ｂが画像データの引取要求を行い、第１ＰＣ２０Ａが画像データを引き取る例である。
【００８２】
図１５に示すように、プロジェクタシステム１では、第１実施形態と同様に、ステップＳ１０１〜ステップＳ１１４が行われる。そして、ステップＳ１１４に続く、ステップＳ２０１において、第２ＰＣ２０Ｂが、画像データの引取要求をプロジェクタ１０に送信して画像データの引き取りを要求する。
【００８３】
引取要求を受け付けたプロジェクタ１０は、画像データ記憶場所１２２を参照して、第２ＰＣ２０Ｂに、画像データ「ＸＸＸ．ｊｐｇ」、「ＹＹＹ．ｊｐｇ」を要求する（ステップＳ２０２）。
【００８４】
画像データの要求を受け付けた第２ＰＣ２０Ｂは、画像データ「ＸＸＸ．ｊｐｇ」、「ＹＹＹ．ｊｐｇ」を、プロジェクタ１０に転送する（ステップＳ２０３）。
【００８５】
転送された画像データを受信したプロジェクタ１０は、転送先として第１ＰＣ２０Ａを選択して、その画像データを、第１ＰＣ２０Ａに転送し、第１ＰＣ２０Ａの画像データ記憶部２５２によって記憶部２２０に記憶させる（ステップＳ２０４）。
【００８６】
そして、プロジェクタ１０は、図１６に示すように、画像データ記憶場所１２２の内容を更新する。具体的には、「ＸＸＸ．ｊｐｇ」の記憶場所として第１ＰＣ２０Ａを記憶するとともに（ステップＳ２０５）、「ＹＹＹ．ｊｐｇ」の記憶場所として第１ＰＣ２０Ａを記憶する（ステップＳ２０６）。ここで、第２ＰＣ２０Ａの所有者が第２ＰＣ２０Ｂを持ったまま、会議を離脱する。
【００８７】
次に、第３ＰＣ２０Ｃが、画像データ「ＸＸＸ．ｊｐｇ」の画像の出力要求を、プロジェクタ１０に対して行う（ステップＳ１１５）。
【００８８】
画像の出力要求を受け付けたプロジェクタ１０は、出力要求を受け受けた第３ＰＣ２０Ｃの端末識別情報を利用可能記憶場所一覧１２１に追加する。そして、プロジェクタ１０は、画像データ記憶場所１２２を参照して、画像データ「ＸＸＸ．ｊｐｇ」が第１ＰＣ２０Ａに記憶されていることを確認すると、画像データ「ＸＸＸ．ｊｐｇ」の転送を第１ＰＣ２０Ａに要求する（ステップＳ２０８）。
【００８９】
画像データの要求を受け付けた第１ＰＣ２０Ａは、画像データ「ＸＸＸ．ｊｐｇ」をプロジェクタ１０に転送する（ステップＳ２０９）。
【００９０】
画像データ「ＸＸＸ．ｊｐｇ」を受信したプロジェクタ１０は、その画像データ「ＸＸＸ．ｊｐｇ」を記憶部１２０に一時的に記憶するとともに、その画像データ「ＸＸＸ．ｊｐｇ」の画像を投影する（ステップＳ２１０）。なお、この例は、画像一覧要求が無い場合についての例である。
【００９１】
ここで、別例を図１７を参照して説明する。この例では、画像データ「ＸＸＸ．ｊｐｇ」が第１ＰＣ２０Ａに記憶され、画像データ「ＹＹＹ．ｊｐｇ」が第２ＰＣ２０Ａに記憶され、画像データ「ＺＺＺ．ｊｐｇ」が第３ＰＣ２０Ｃに記憶されていることが、画像データ記憶場所１２２に記憶されている。この場合に、第３ＰＣ２０Ｃが、画像データの引取要求とともに画像一覧要求をした場合には、プロジェクタ１０は、画像データ「ＸＸＸ．ｊｐｇ」、「ＹＹＹ．ｊｐｇ」、「ＺＺＺ．ｊｐｇ」を、第１〜第３ＰＣ２０Ａ，１０Ｂ，１０Ｃから、第３ＰＣ２０Ｃへ転送する。また、この場合、画像一覧要求に、画像データを束ねる、即ち一つの画像データにまとめる旨の要求が含まれていた場合、プロジェクタ１０は、画像データ「ＸＸＸ．ｊｐｇ」、「ＹＹＹ．ｊｐｇ」、「ＺＺＺ．ｊｐｇ」を、画像データの識別子（ファイル名）の昇順でｉｍａｇｅ．ｐｄｆファイルとしてまとめて、そのファイルを第３ＰＣ２０Ｃに転送する。
【００９２】
以上、説明したとおり、本実施形態では、画像データ転送部１３３は、ＰＣ２０からの画像データの引き取りを要求する引取要求を受け付ける。画像データ転送部１３３は、複数のＰＣ２０のうち引取要求を受け付けたＰＣ２０以外のＰＣ２０に、引取要求対象の画像データを記憶させる。したがって、引取要求を行ったＰＣ２０が会議から離脱しても、他のＰＣ２０から画像データを取得することができる。したがって、離脱したＰＣ２０が持つ画像データも含めて画像を出力して、会議を振り返ることができる。
【００９３】
また、本実施形態では、画像データ転送部１３３は、引取要求を受け付けた場合、引取要求を受け付けたＰＣ２０に、当該画像データ転送部１３３が記憶させた全ての画像データを、転送する。したがって、引取要求を行ったＰＣ２０は、会議から離脱しても、出力要求があった全ての画像データの画像を参照することができる。これにより、会議離脱者が、画像を閲覧して会議を振り返ることができる。
【００９４】
また、本実施形態では、画像データ転送部１３３は、全ての画像データを一つの画像データにまとめて、引取要求を受け付けたＰＣ２０に転送する。したがって、引取要求を行ったＰＣ２０が、引取要求を行った際に取得した一連の画像群を集約して記憶することができる。
【００９５】
（第３実施形態）
次に、第３実施形態を説明する。
本実施形態では、画像出力要求受付部１３１の第１部１３１ａは、ＰＣ２０から、第１出力要求とともに、転送先となる他のＰＣ２０の指定を受け付ける。そして、画像データ転送部１３３は、第１部１３１ａによって受け付けられた転送先のＰＣ２０に画像データを転送する。
【００９６】
次に、本実施形態のプロジェクタシステム１の動作について説明する。まずは、プロジェクタ１０の制御部１３０がプログラムに従って実行する画像データ引受処理を図１８のフローチャートに沿って説明する。
【００９７】
第１実施形態と同様にステップＳ６まで処理を行った後、本実施形態では、画像データ「ＹＹＹ．ｊｐｇ」の出力要求を行ったＰＣ２０から画像データの転送先の指定が有ると（ステップＳ４５のＹｅｓ）、画像出力要求受付部１３１が、そのＰＣに対して、利用可能記憶場所一覧１２１を提示して（ステップＳ４６）、画像データの転送先の指定を受け付ける（ステップＳ４７）。そして、指定を受け付けた転送先に画像データの記憶を要求して（ステップＳ８）、第１の実施形態と同様にステップＳ９以降の処理を行う。なお、画像データの転送先の指定がＰＣ２０から無い場合には（ステップＳ４５のＮｏ）、第１実施形態と同様に、ステップＳ７に進む。
【００９８】
次に、本実施形態のプロジェクタシステム１の動作の一例を図１９を参照して説明する。この例は、第１ＰＣ２０Ａが画像データの転送先を指定する例である。
【００９９】
図１９に示すように、プロジェクタシステム１では、第１実施形態と同様に、ステップＳ１０１〜ステップＳ１１０が行われる。そして、ステップＳ１１０に続く、ステップＳ３０１において、プロジェクタ１０が、第１ＰＣ２０Ａに対して、画像データの転送先の一覧として、利用可能記憶場所一覧１２１を転送して提示する（ステップＳ３０１）。
【０１００】
そして、第１ＰＣ２０Ａが、利用可能記憶場所一覧１２１の中のＰＣ２０のうち自機を除いたＰＣ２０のうちから例えば、ランダムに一つを指定して、その指定結果をプロジェクタ１０に送信する（ステップＳ３０２）。ここでは、転送先として、第２ＰＣ２０Ｂが指定されている。
【０１０１】
この指定を受け付けたプロジェクタ１０は、第２ＰＣ２０Ｂに画像データ「ＹＹＹ．ｊｐｇ」を転送する（ステップＳ１１２）。以降の処理は、第１実施形態と同じである。
【０１０２】
以上説明したとおり、本実施形態では、画像出力要求受付部１３１の第１部１３１ａは、ＰＣ２０から、第１出力要求とともに、転送先となる他のＰＣ２０の指定を受け付ける。そして、画像データ転送部１３３は、第１部１３１ａによって受け付けられた転送先のＰＣ２０に画像データを転送する。したがって、第１出力要求を行ったＰＣ２０が意図する場所にのみ、出力対象の画像データを転送することができる。これにより、社外の人物の端末に、社外秘の文章などが記憶されることを防止することができる。
【０１０３】
（第４実施形態）
次に、第４実施形態を説明する。
本実施形態では、画像データ転送部１３３は、転送する画像データに、第１部１３１ａ（画像出力要求受付部１３１）によって第１出力要求が受け付けられたＰＣ２０の識別子（端末識別情報）を付加する。
【０１０４】
例えば、画像データ記憶場所１２２の記憶内容が図２０に示す場合について説明する。第１ＰＣ２０Ａに記憶されている画像データ「ｉｍａｇｅＡ．ｊｐｇ」と、第２ＰＣ２０Ｂに記憶されている「ｉｍａｇｅＡ．ｊｐｇ」は、同じ名前だが、内容が異なる場合がある。このとき、第２ＰＣ２０Ｂが会議から離脱し、画像の引取要求をすると、画像データ転送部１３３は、第２ＰＣ２０Ｂに記憶されている画像データの画像識別子「ｉｍａｇｅＡ．ｊｐｇ」に元の画像の記憶場所である第２ＰＣ２０Ｂの端末識別情報（ここでは、ＰＣ２）を付加して「ＰＣ２．ｉｍａｇｅＡ．ｊｐｇ」へと変更し、第１ＰＣ２０Ａに転送する。このとき、画像データ記憶場所記憶部１３２によって、画像データ記憶場所１２２は、図２１に示すように更新され、その画像データの名称変更が反映される。
【０１０５】
以上説明したように、本実施形態では、画像データ転送部１３３は、転送する画像データに、第１部１３１ａ（画像出力要求受付部１３１）によって第１出力要求が受け付けられたＰＣ２０の識別子（端末識別情報）を付加する。したがって、転送された同名の画像が上書きされるのを防止して記憶することができる。
【０１０６】
（第５実施形態）
次に、第５実施形態を説明する。
本実施形態では、画像データ転送部１３３は、転送先候補のＰＣ２０が複数存在する場合、転送先候補の複数のＰＣ２０の記憶部（記憶領域）２２０の空き領域を取得し、転送先候補の複数のＰＣ２０のうちで最も記憶部２２０の空き領域が大きい情報処理端末を画像データの転送先として決定する。
【０１０７】
詳細には、画像データ転送部１３３は、利用可能記憶場所一覧１２１からの転送先の選択に先立って、利用可能記憶場所一覧１２１に含まれる全ＰＣ２０の記憶部２２０の空き容量をＳＮＭＰプロトコルを用いて取得する。ここで、本実施形態では、プロジェクタ１０の記憶部１２０に、利用可能記憶場所一覧１２１に含まれる全ＰＣ２０の記憶部２２０の空き容量を記憶する記憶部空き容量一覧１２３が記憶されている。そして、画像データ転送部１３３は、取得した空き容量を記憶部空き容量一覧１２３に記憶させて、それらの空き容量の比較をおこない、最も空き容量が大きいＰＣ２０を、転送先として選択する。図２２の例の場合には、第２ＰＣ２０Ｂが転送先として選択される。
【０１０８】
以上、説明したように、本実施形態では、画像データ転送部１３３は、転送先候補のＰＣ２０が複数存在する場合、転送先候補の複数のＰＣ２０の記憶部（記憶領域）２２０の空き領域を取得し、転送先候補の複数のＰＣ２０のうちで最も記憶部２２０の空き領域が大きい情報処理端末を画像データの転送先として決定する。したがって、記憶部２２０の空き領域が比較的に少ないＰＣ２０への画像データの転送を避けて、記憶部２２０の空き領域が比較的に多いＰＣ２０へ画像データを転送して記憶させることができる。
【０１０９】
（第６実施形態）
次に、第６実施形態を説明する。
本実施形態では、画像データ転送部１３３は、画像データの転送先候補のＰＣ２０が複数存在する場合、転送先候補の複数のＰＣ２０の処理負荷を取得する。そして、画像データ転送部１３３は、転送先候補の複数のＰＣ２０のうちで最も処理負荷（作業負荷）の小さいＰＣ２０を画像データの転送先として決定する。
【０１１０】
詳細には、画像データ転送部１３３は、利用可能記憶場所一覧１２１からの画像データの転送先の選択に先立って、利用可能記憶場所一覧１２１に含まれる全ＰＣ２０の制御部（例えばＣＰＵ）２５０の処理負荷をＳＮＭＰプロトコルを用いて取得する。処理負荷は、ここでは、制御部２５０の処理能力のうちの現在に使用している割合である。ここで、本実施形態では、プロジェクタ１０の記憶部１２０に、利用可能記憶場所一覧１２１に含まれる全ＰＣ２０の制御部（ここではＣＰＵ）の処理負荷を記憶する処理負荷一覧１２４が記憶されている。そして、画像データ転送部１３３は、取得した処理負荷を処理負荷一覧１２４に記憶させて、それらの処理負荷の比較をおこない、最も処理負荷が小さいＰＣ２０を、転送先として選択する。図２３の例の場合には、第３ＰＣ２０Ｂが転送先として選択される。
【０１１１】
以上、説明したように、本実施形態では、画像データ転送部１３３は、画像データの転送先候補のＰＣ２０が複数存在する場合、転送先候補の複数のＰＣ２０の処理負荷を取得する。そそて、画像データ転送部１３３は、転送先候補の複数のＰＣ２０のうちで最も処理負荷（作業負荷）の小さいＰＣ２０を画像データの転送先として決定する。したがって、処理負荷が比較的に大きいＰＣ２０の負荷を増大させることなく、最も処理負荷の小さいＰＣ２０に画像データを転送して記憶させることができる。
【０１１２】
（第７実施形態）
次に、第７実施形態を説明する。
本実施形態では、図２４に示すように、プロジェクタ１０の記憶部１２０に、転送許可先一覧１２５が記憶されている。転送許可先一覧１２５には、転送可能なＰＣ２０が記憶されている。そして、画像データ転送部１３３は、画像データの転送先に、転送可能と設定された（転送許可先一覧１２５に記憶された）ＰＣ２０を選択する。
【０１１３】
ここで、例えば、画像出力要求受付部１３１に、第１ＰＣ２０Ａと、第２ＰＣ２０Ｂと、第３ＰＣ２０Ｃとから出力要求があった場合、第１の実施形態では、利用可能記憶場所一覧１２１は、図２５に示すように、第１ＰＣ２０Ａと、第２ＰＣ２０Ｂと、第３ＰＣ２０Ｃとが記憶される。これに対して、本実施形態では、図２６に示すように、利用可能記憶場所一覧１２１には、第１ＰＣ２０Ａと、第２ＰＣ２０Ｂとが記憶され、第３ＰＣ２０Ｃは記憶されない。これにより、予め転送許可先として記憶している第１ＰＣ２０Ａと第２ＰＣ２０Ｂだけに、画像データが転送され、第３ＰＣ２０Ｃに画像データが転送されることがない。
【０１１４】
次に、上述の動作の際にプロジェクタ１０の制御部１２０が実行する利用可能記憶場所一覧への追加処理について図２７のフローチャートに沿って説明する。この処理では、転送許可先一覧１２５に画像の出力要求元のＰＣ２０が含まれている場合（ステップＳ５１のＹｅｓ）、画像出力要求受付部１３１が、画像の出力要求元のＰＣ２０を、利用可能記憶場所一覧１２１に追加する。一方、転送許可先一覧１２５に画像の出力要求元のＰＣ２０が含まれていない場合（ステップＳ５１のＮｏ）、画像出力要求受付部１３１は、画像の出力要求元のＰＣ２０を、利用可能記憶場所一覧１２１に追加しない。
【０１１５】
以上、説明したように、本実施形態では、画像データ転送部１３３は、画像データの転送先に、転送可能と設定されたＰＣ２０を選択する。したがって、意図しないＰＣ２０に画像データが転送されることがない。これによって、社外の人物のＰＣ２０に、社外秘の文書などが記憶されることを防止することができる。
【０１１６】
（第８実施形態）
次に、第８実施形態を説明する。
本実施形態では、ＰＣ２０の画像データ記憶部２５２は、当該ＰＣ２５２が行った出力要求（第１出力要求または第２出力要求）を受け付けたプロジェクタ１０からのみ画像データの転送を受け付ける。本実施形態では、ＰＣ２０の記憶部２２０に、図２８に示す出力要求先一覧２２１が記憶されている。出力要求先一覧２２１は、第１出力要求や第２出力要求を受け付けたプロジェクタ１０を記憶するものである。なお、本実施形態では、プロジェクタ１０が複数設けられており、これらを図２８では、第１ＰＪ、第２ＰＪとして示している。
【０１１７】
次に、上述の動作の際にＰＣ２０の制御部２５０が実行する画像データ処理について図２９のフローチャートに沿って説明する。この処理では、転送する画像データの記憶を要求するプロジェクタ１０（画像データ転送要求元）が出力要求先一覧２２１に含まれている場合（ステップＳ６１のＹｅｓ）、画像データ記憶部２５２が、画像データを受け付けて記憶部２２０に記憶させる（ステップＳ５２）。一方、画像データの記憶を要求するプロジェクタ１０が出力要求先一覧２２１に含まれていない場合（ステップＳ６１のＮｏ）、画像データ記憶部２５２は、画像データを受け付けない。
【０１１８】
以上説明したように、本実施形態では、ＰＣ２０の画像データ記憶部２５２は、当該ＰＣ２５２が行った出力要求（第１出力要求または第２出力要求）を受け付けたプロジェクタ１０からのみ画像データの転送を受け付ける。したがって、ＰＣ２０は、当該ＰＣ２５２が出力要求を行ったプロジェクタ１０以外のプロジェクタ１０からの画像データを受け入れないで済む。
【符号の説明】
【０１１９】
１…プロジェクタシステム
１０…プロジェクタ
２０，２０Ａ，２０Ｂ，２０Ｃ…ＰＣ
１３０…制御部
１３１…画像出力要求受付部
１３１ａ…第１部
１３１ｂ…第２部
１３３…画像データ転送部
【先行技術文献】
【特許文献】
【０１２０】
【特許文献１】特開２０００‐１７２４６４号公報
【図１】
2012198640.tif 000003
【図２】
2012198640.tif 000004
【図３】
2012198640.tif 000005
【図４】
2012198640.tif 000006
【図５】
2012198640.tif 000007
【図６】
2012198640.tif 000008
【図７】
2012198640.tif 000009
【図８】
2012198640.tif 000010
【図９】
2012198640.tif 000011
【図１０】
2012198640.tif 000012
【図１１】
2012198640.tif 000013
【図１２】
2012198640.tif 000014
【図１３】
2012198640.tif 000015
【図１４】
2012198640.tif 000016
【図１５】
2012198640.tif 000017
【図１６】
2012198640.tif 000018
【図１７】
2012198640.tif 000019
【図１８】
2012198640.tif 000020
【図１９】
2012198640.tif 000021
【図２０】
2012198640.tif 000022
【図２１】
2012198640.tif 000023
【図２２】
2012198640.tif 000024
【図２３】
2012198640.tif 000025
【図２４】
2012198640.tif 000026
【図２５】
2012198640.tif 000027
【図２６】
2012198640.tif 000028
【図２７】
2012198640.tif 000029
【図２８】
2012198640.tif 000030
【図２９】
2012198640.tif 000031